(57)【要約】      （修正有）【課題】タペストリーを部屋の壁面に簡単に貼り付けることが出来ると共に、剥がすことも可能なタペストリーの貼着構造を提供する。【解決手段】貼着手段として両面テープ４ａ，４ｂを用い、タペストリー１の裏面と壁面の間に上記両面テープ４ａ，４ｂを介在して貼り付ける。【選択図】図１
0003217773.tif 000002
【実用新案登録請求の範囲】
【請求項１】
タペストリーを部屋の壁面に貼り付ける貼着構造であって、貼着手段として両面テープを用い、タペストリーの裏面と壁面の間に上記両面テープを介在して貼り付けたことを特徴とするタペストリーの貼着構造。
【請求項２】
上記両面テープは、不織布の両面にアクリル系粘着剤を含浸して構成した請求項１記載のタペストリーの貼着構造。
【考案の詳細な説明】
【技術分野】
【０００１】
本考案はタペストリー（タピストリー）を壁面に貼り付ける際の貼着構造に関するものである。
【背景技術】
【０００２】
タペストリーはタピストリーとも言われ、壁掛、テーブル掛けなどに用いる室内装飾用織物の一種である。室内を装飾する為に従来から用いられるものとして、絵画が一般的であるが、絵画は額縁に収容されて壁面に固定した吊具を介して吊設される。このように、室内に絵画を取付けるならば、該室内の雰囲気は変わり、華やかになると共に、室内に居ることも楽しく感じられる。
【０００３】
しかし、絵画は商品としての価格も高く、一般人にとっては手軽に購入することは容易でない。また、額縁を含めるとその重量は大きく、壁面に取付ける吊具は強固に固定しなくてはならい。近年の住宅では壁面にクロス（壁紙）を貼り付けたもので、その構造が簡単であって、その為に何処にでも吊具を取着することが出来ない。
【０００４】
すなわち、クロスが貼着されているボードが打ち付けられている下桟の位置に吊具を固定する必要があり、その為に該吊具を打ち付けるクギやネジが下桟に刺さるようにしなくてはならない。しかし、一般的な住人はボードが打ち付けられる下桟の位置は分からなく、その為に吊具の取付けは容易でない。
【０００５】
そこで、近年では高価な絵画に代わって、普通の人でも簡単に取付けして部屋の雰囲気を華やかにする為に、タペストリーを使うことが多い。
図３はタペストリー（イ）を壁面（ロ）に吊設した具体例を示している。
該タペストリー（イ）は上端に吊棒（ハ）を有し、該吊棒（ハ）は吊具（ニ）の紐（ホ）によって吊設されている。
【０００６】
吊具（ニ）は壁面（ロ）に固定した金具（ヘ）から紐（ホ）が延びて吊棒（ハ）の先端に結ばれている。吊棒（ハ）から垂れ下がったタペストリー（イ）の重量は軽く、その為に簡易な金具（ヘ）であっても該タペストリー（イ）を吊り下げるには強度的に十分である。該金具（ヘ）が固定される位置は、ボードが取付けられる下桟に関係なく止着することが出来る。
【０００７】
一方、タペストリー（イ）の上端に吊棒（ハ）を設けることなく、該タペストリー（イ）の四隅を直接ピン止めすることで、壁面に貼付けすることも可能である。ただし、四隅をピン止めする止着形態とする場合、タペストリー（イ）の生地質にもよるが、時が経つと生地が延びて両ピン間の上縁は垂れ下がってしまい、外観が損なわれる。
また、タペストリー（イ）をガムテープやセロテープなどで止着することも出来るが、壁にキズや汚れが生じる。そして、ガムテープにて止着すると、剥がす際に壁紙も剥がれてしまう虞がある。
【０００８】
従来、タペストリーを壁面に取付けることに関して、色々な技術が知られている。実用新案登録第３１５４４７３号に係る「意匠面着脱式タペストリー」は、ファスナーを用いて意匠面のみを着脱差し替え可能にするようにしている。
そこで、ファスナースラス片面（スライダー付）が装着されたパイプ部（上、下）と、同じく上下にファスナースラス片面Ｂが装着された意匠面Ｈを結合させ一体化し、上下パイプにロープを通しその端を壁面に固定することによりタペストリーを完成させる。そこで、内容を頻繁に変更させたい時、パイプ部（上、下）は固定したまま意匠面のみ差し換え可能となる。
【０００９】
実用新案登録第３０７５３７４号に係る「タペストリー」は、表示内容を簡易且つ安価に変更でき、各店オリジナルのものとして使用できるようにしている。
そこで、飲食店等の店頭や店内に吊り下げられて使用されるタペストリーであり、主シート材の表面に、透明の第２シート材が重ね合わされ、この第２シート材の少なくとも上下の端縁が主シート材に接合されて、左右少なくともいずれか一方に開口された一以上の透明なポケットが形成されている。そして、ポケットの開口部にはファスナーが設けられて開閉可能とされ、ポケット内に各種案内等を施したシート片が収納されている。
【特許文献１】実用新案登録第３１５４４７３号に係る「意匠面着脱式タペストリー」
【特許文献２】実用新案登録第３０７５３７４号に係る「タペストリー」
【考案の開示】
【考案が解決しようとする課題】
【００１０】
このように、タペストリーに関する技術文献は色々知られているが、金具を用いて吊設する場合であれば該タペストリー上端には吊棒を必要とし、ガムテープやセロテープにて壁面に貼着する場合であれば外観が損なわれ、またタペストリーを繰り返し着脱するならば、壁紙ががれる虞がある。
本考案が解決しようとする課題はこれら問題点であり、何回繰り返して着脱しても壁紙ががれることなく、しかも外観的にも好ましいタペストリーの貼着構造を提供する。
【課題を解決するための手段】
【００１１】
本考案に係るタペストリーは壁面に両面テープを介して貼着される。両面テープが貼着される領域は限定しないが、少なくとも上縁に貼着される。前以て壁面の所定の位置に両面テープを貼り付け、その後、表面の基材（被覆シート）を剥がしてタペストリーの上縁裏面を位置合わして貼り付ける。勿論、タペストリーの上縁裏面に前以て両面テープを貼り付け、その後、基材（被覆シート）を剥がしてタペストリーを所定の壁面位置に貼り付けることも可能である。
【００１２】
ここで好ましい両面テープの特性としては、接着力が強く、剥がし易い性能を備え、しかも剥がした場合に糊残りが殆どないことが好ましい。ただし、テープの具体的な構造は限定しないが、例えば、不織布の両面にアクリル系粘着剤から成る粘着層を設けることが出来る。
ところで、該両面テープをタペストリーの裏面に貼着した状態で販売し、該タペストリーを購入した客が自ら部屋の壁面に被覆シートを剥がして貼り付けることが出来る。
又は、両面テープをタペストリーに前以て貼り付けることなく、客が自ら適当な長さに切断して貼り付けることが出来るように、両面テープを一緒に販売することもある。
【考案の効果】
【００１３】
本考案のタペストリーは壁面に貼着されるが、その貼着手段として両面テープを用いている。両面テープはその両面に粘着層を有し、壁面とタペストリーの間に介在することで、該タペストリーを壁面に貼着することが出来る。そして、ガムテープなどとは違い、上記両面テープが外に現れることなくタペストリーを貼り付けることが出来、その為に貼着されるタペストリーの外観が損なわれることはない。
【００１４】
また、ガムテープやセロテープとは違い、両面テープを介して貼り付けされたタペストリーは接着力は強いが剥がし易く、また壁面の壁紙ががれることはない。従って、長年にわたって貼着したタペストリーが汚れた場合、一旦剥がして洗濯し、再度貼り付けることが出来る。このように、繰り返し着脱しても壁紙が剥がれない両面テープが使われている。
【図面の簡単な説明】
【００１５】
【図１】縦長の長方形をしたタペストリーを、上縁部と下縁部に両面テープを介して貼り付けた本考案の実施例。
【図２】両面テープの構造を示す断面拡大図。
【図３】タペストリーを上縁に設けた吊棒を介して吊設した従来の具体例。
【考案を実施するための形態】
【００１６】
図１は壁面に貼り付けたタペストリー１の外観正面図を表している。該タペストリー１の表面には図形、模様などが描かれ、このようなタペストリー１が部屋の壁面に貼り付けられることで、絵画を取付けた場合と同じように部屋の雰囲気は華やかになる。絵画は高額であり、一般の人は購入しにくいが、タペストリーであれば費用も安くて手軽に購入して部屋の壁面に貼り付けることが可能である。
【００１７】
本考案は該タペストリー１を部屋の壁面に手軽に貼り付けることが出来るように、貼付け手段として両面テープが使用される。タペストリー１を壁面に貼り付ける手段は従来から色々あるが、両面テープを介して貼り付けることで、タペストリー１の外観を損なうことなく、しかも手軽でシワを作ることなく綺麗に貼り付けることが出来る。
【００１８】
図１に示す実施例では、タペストリー１の上縁部２と下縁部３に両面テープ４ａ，４ｂを貼り付けている。勿論、両側縁部にも両面テープを貼ることもあるが、上縁部２と下縁部３に貼り付けることで、タペストリー１は壁面に沿ってシワを作ることなく綺麗に貼り付けられる。
該両面テープ４ａ，４ｂはタペストリー１の裏面と壁面の間に介在することで、表面に露出することはない。
【００１９】
ところで、上記両面テープ４ａ，４ｂは基材に柔軟かつ強靭な不織布にアクリル系粘着剤を含浸させて構成されている。テープ引張強さが高く、その為にテープ剥離時にテープがちぎれにくく、また壁面にタペストリーを長期貼合わせた後でも、剥離時の糊残りしは殆どなく、再剥離性にも優れている。
このような、要件を満たしている両面テープとしては、例えば、日東電工株式会社製の両面テープで、商品番号ＮＯ．５０００  ＮＳＷＨが適している。  
【００２０】
図２は両面テープ４の構造を示す断面拡大図である。剥離可能な基材５に両面テープ４が積層され、該両面テープ４は柔軟で強靭な不織布６の両面にアクリル系粘着剤を含浸して構成している。
そこで、タペストリー１の横幅寸法分の長さにテープを切断し、基材５を剥がしてタペストリー１の上縁部２と下縁部３に貼り付ける。そして、両面テープ４が貼り付けられたタペストリー１を壁面に貼着することが出来る。
ここで、該両面テープ４を貼り付ける壁面にホコリや油分が付着していると、接着力が損なわれる虞があるために、壁面を奇麗にした状態で貼り付けることが好ましい。
【００２１】
図１に示すタペストリー１は縦長の長方形であるが、その形状は限定しない。
本発明は両面テープ４を用いて壁面に貼り付けることが出来るようにしたものであり、例えば三角形、六角形をしたタペストリーであっても、時には円形のタペストリーであっても、何ら問題なく壁面に貼着することが可能である。
円形のタペストリーであれば、短く切断した複数の両面テープを円周部の所々に貼り付けることが出来る。
【符号の説明】
【００２２】
１   タペストリー
２   上縁部
３   下縁部
４   両面テープ
５   基材
６   不織布
７   アクリル系粘着剤
【図１】
0003217773.tif 000003
【図２】
0003217773.tif 000004
【図３】
0003217773.tif 000005